(57)【要約】【課題】画像の確認が容易なプリンタユニットを提供する。【解決手段】画像再生時に画像データに付された画像の姿勢情報と電話機本体１２の姿勢情報とに基づき、液晶モニタ２８に表示される画像の上下が重力方向の上下と一致するように、液晶モニタ２８の表示を制御する。また、プリント時には、プリント排出口２６から排出される記録シート上の画像の上下と液晶モニタ２８に表示される画像の上下とが一致するように、液晶モニタ２８の表示を制御する。【選択図】      図１５
2006027017.tif 000002
【特許請求の範囲】
【請求項１】
ユニット本体に表示部を有し、該表示部に表示された画像をプリント指示に応じて記録シートにプリントし、排出口から排出するプリンタユニットにおいて、
重力方向に対する前記表示部の姿勢を検出する表示姿勢検出手段と、
前記表示部に表示させる画像に付された姿勢情報を読み取る姿勢情報読取手段と、
前記表示姿勢検出手段で検出された前記表示部の姿勢情報と前記姿勢情報読取手段で読み取られた画像の姿勢情報とに基づき前記表示部に表示される画像の上下が重力方向の上下と一致するように制御する表示制御手段と、
を有することを特徴とするプリンタユニット。
【請求項２】
画像がプリントされた記録シートの記録面が、前記表示部の表示面と平行になるように前記排出口から排出されるとともに、前記記録シートの記録面が、前記表示部の表示面と同じ方向を向けられて前記排出口から排出されることを特徴とする請求項１に記載のプリンタユニット。
【請求項３】
前記表示制御手段は、プリント指示に応じて前記表示部に表示される画像の上下が前記排出口から排出される記録シート上の画像の上下と一致するように表示を切り替えることを特徴とする請求項２に記載のプリンタユニット。
【請求項４】
撮像素子で画像を撮像して記憶メディアに記録する電子カメラに設けられ、該電子カメラは、前記撮像素子の姿勢を検出する撮影姿勢検出手段を有するとともに、該撮影姿勢検出手段で検出された前記撮像素子の姿勢情報を付して撮像した画像を前記記憶メディアに記録することを特徴とする請求項１、２又は３に記載のプリンタユニット。
【発明の詳細な説明】
【技術分野】
【０００１】
本発明はプリンタユニットに係り、特にデジタルカメラや携帯電話機等に組み込まれて使用されるプリンタユニットに関する。
【背景技術】
【０００２】
画像をデジタルデータとして記録する電子カメラには、カメラボディにモニタが備えられており、撮影した画像をすぐに確認することができるようにされている。また、近年、電子カメラの普及に伴い、プリンタを内蔵した電子カメラも種々提案されている（たとえば、特許文献１〜４参照）。
【特許文献１】特開平１０−１３８４４号公報
【特許文献２】特開平１１−１６４１８５号公報
【特許文献３】特開２００１−２３２８９６号公報
【特許文献４】特開２００１−２３２９０９号公報
【発明の開示】
【発明が解決しようとする課題】
【０００３】
ところで、このようなプリンタ内蔵カメラでは、カメラボディに備えられたモニタでプリントする画像を決定し、プリントを指示するのが一般的であるが、従来のプリンタ内蔵カメラは、カメラから出てくるプリントの記録面とカメラボディに備えられたモニタの表示面とが一致していないため、プリントの確認作業に手間がかかるという欠点がある。
【０００４】
また、このようなプリンタ内蔵カメラは、小型・軽量であるがゆえに、手に持ったまま使用されることもあり、その姿勢も常に一定であるとは限らない。このため、手に持つ方向によってモニタに表示される画像が上下反転したり、横になったりして、画像の確認がしづらくなるという欠点もある。
【０００５】
本発明は、このような事情に鑑みてなされたもので、画像の確認が容易なプリンタユニットを提供することを目的とする。
【課題を解決するための手段】
【０００６】
請求項１に係る発明は、前記目的を達成するために、ユニット本体に表示部を有し、該表示部に表示された画像をプリント指示に応じて記録シートにプリントし、排出口から排出するプリンタユニットにおいて、重力方向に対する前記表示部の姿勢を検出する表示姿勢検出手段と、前記表示部に表示させる画像に付された姿勢情報を読み取る姿勢情報読取手段と、前記表示姿勢検出手段で検出された前記表示部の姿勢情報と前記姿勢情報読取手段で読み取られた画像の姿勢情報とに基づき前記表示部に表示される画像の上下が重力方向の上下と一致するように制御する表示制御手段と、を有することを特徴とするプリンタユニットを提供する。
【０００７】
本発明によれば、表示部に画像を表示する際、表示部の姿勢によらずに常に画像の上下が重力方向の上下と一致するように、画像が表示部に表示される。
【０００８】
また、請求項２に係る発明は、前記目的を達成するために、画像がプリントされた記録シートの記録面が、前記表示部の表示面と平行になるように前記排出口から排出されるとともに、前記記録シートの記録面が、前記表示部の表示面と同じ方向を向けられて前記排出口から排出されることを特徴とする請求項１に記載のプリンタユニットを提供する。
【０００９】
本発明によれば、画像がプリントされた記録シートの記録面が表示部の表示面と平行になるように排出口から排出されるとともに、記録シートの記録面が表示部の表示面と同じ方向を向けられて排出口から排出される。これにより、表示部に表示されている画像とプリントされた画像の確認を容易に行うことができる。
【００１０】
また、請求項３に係る発明は、前記目的を達成するために、前記表示制御手段は、プリント指示に応じて前記表示部に表示される画像の上下が前記排出口から排出される記録シート上の画像の上下と一致するように表示を切り替えることを特徴とする請求項２に記載のプリンタユニットを提供する。
【００１１】
本発明によれば、プリント指示が行われると、表示部に表示される画像の上下が、排出口から排出される記録シート上の画像の上下と一致するように、表示部の表示が切り替えられる。これにより、表示部に表示されている画像と排出口から排出される記録シート上の画像の向きが一致し、プリントされた画像の確認を素早く行うことができる。
【００１２】
また、請求項４に係る発明は、前記目的を達成するために、撮像素子で画像を撮像して記憶メディアに記録する電子カメラに設けられ、該電子カメラは、前記撮像素子の姿勢を検出する撮影姿勢検出手段を有するとともに、該撮影姿勢検出手段で検出された前記撮像素子の姿勢情報を付して撮像した画像を前記記憶メディアに記録することを特徴とする請求項１、２又は３に記載のプリンタユニットを提供する。
【００１３】
本発明によれば、請求項１、２又は３に記載のプリンタユニットが電子カメラに設けられる。電子カメラは、撮像素子の姿勢を検出する撮影姿勢検出手段を備えており、この撮影姿勢検出手段で検出された撮像素子の姿勢情報を付して撮像した画像を記憶メディアに記録する。
【発明の効果】
【００１４】
本発明に係るプリンタユニットによれば、表示部に表示される画像及びプリントされた画像の確認を容易に行うことができる。
【発明を実施するための最良の形態】
【００１５】
以下、添付図面に従って本発明に係るプリンタユニットを実施するための最良の形態について説明する。
【００１６】
図１、図２は、それぞれ本発明に係るプリンタユニットが組み込まれたカメラ付きの携帯電話機の正面図と背面図である。
【００１７】
図１及び図２に示すように、携帯電話機１０の電話機本体１２は、表示側筐体１４と操作側筐体１６とで構成されており、この表示側筐体１４と操作側筐体１６とをヒンジ１８で連結して、折り畳み可能に形成されている。
【００１８】
表示側筐体１４の外側には、図１に示すように、撮影レンズ２０とアンテナ２２とプリント部カバー２４とが設けられている。撮影レンズ２０は、短焦点レンズで構成されており、この撮影レンズ２０を用いて写真撮影が行なわれる。また、プリント部カバー２４は、表示側筐体１４に対して着脱自在に設けられており、このプリント部カバー２４の内側に後述するプリンタカートリッジ５０の装着部５２が設けられている（図３参照）。
【００１９】
また、表示側筐体１４の側面には、プリント排出口２６が設けられており、このプリント排出口２６から画像がプリントされた記録シートが排出される。
【００２０】
表示側筐体１４の内側には、図２に示すように、液晶モニタ２８と受話口３０とが設けられている。受話口３０の内側には、スピーカが配設されており、このスピーカから通話相手の音声が出力される。
【００２１】
一方、操作側筐体１６の外側には、図１に示すように、バッテリパック３２が着脱自在に設けられている。
【００２２】
また、操作側筐体１６の側面には、シャッターボタン３４とプリントボタン３５とメディアスロット３６とが設けられている。メディアスロット３６には、メモリカード３８が着脱自在に装填され、このメモリカード３８に撮影した画像データ等が記録される。
【００２３】
操作側筐体１６の内側には、図２に示すように、操作部４０と送話口４２とが設けられている。操作部４０は、ダイヤルボタン、通話ボタン、切／電源ボタン、十字ボタン等の各種操作ボタン類で構成されており、各ボタンは使用するモードに応じて種々の機能が割り当てられる。送話口４２の内側にはマイクが配設されており、このマイクでユーザの音声が収音される。
【００２４】
図３は、図１の３−３断面図であり、プリンタカートリッジ５０の装着部５２の構成を示している。
【００２５】
同図に示すように、プリント部カバー２４の内側には、プリンタカートリッジ５０の装着部５２が設けられている。
【００２６】
プリンタカートリッジ５０は、所定の記録シートの記録面にインクジェット方式で画像を印画するユニットであり、装着部５２に対して着脱自在に設けられている。このプリンタカートリッジ５０は、図３に示すように、記録シートトレイ５４、記録シート搬送機構５６、ヘッド５８、インクタンク（図示せず）を備えている。
【００２７】
記録シートトレイ５４には、複数枚の記録シート６０が積層された状態でセットされている。この記録シート６０は、液晶モニタ２８と同じ縦横比を有しており、その記録面が液晶モニタ２８の表示面と平行かつ同じ向きに向けられて記録シートトレイ５４にセットされている。
【００２８】
記録シート搬送機構５６は、図示しないモータに駆動されて回転する複数の搬送ローラ等で構成されており、記録シートトレイ５４にセットされた記録シート６０を１枚ずつヘッド５８に搬送する。
【００２９】
ヘッド５８は、記録シート搬送機構５６によって搬送される記録シート６０の記録面にインクタンクに貯留されたＹ（イエロー）、Ｍ（マゼンタ）、Ｃ（シアン）、Ｂ（ブラック）の４色のインクを用いて画像を印画する。
【００３０】
画像が印画された記録シート６０は、液晶モニタ２８の表示面と平行な状態を保ったまま記録シート搬送機構５６に搬送されて、プリント排出口２６から排出される。この際、図２に示すように、記録シート６０は、画像が印画された記録面が、液晶モニタ２８の表示面と同じ方向を向けられてプリント排出口２６から排出される。
【００３１】
図４は、携帯電話機の電気的構成を示すブロック図である。同図に示すように、携帯電話機１０は、中央処理装置（ＣＰＵ）１１０、ＲＯＭ１１２、ＲＡＭ１１４、ＥＥＰＲＯＭ１１６、マイク１１８、Ａ／Ｄ変換器１２０、スピーカ１２２、Ｄ／Ａ変換器１２４、音声処理回路１２６、送受信回路１２８等の電話機能を提供するための構成要素に加えて、ＣＣＤ１３０、タイミングジェネレータ（ＴＡ）１３２、アナログ処理回路１３４、Ａ／Ｄ変換器１３６、画像入力コントローラ１３８、画像処理回路１４０、圧縮／伸張回路１４２、表示回路１４４、メディアコントローラ１４６等の電子カメラの機能を提供するための構成要素と、プリントデータ生成回路１４８、プリンタ制御回路１５０等のプリンタの機能を提供するための構成要素を備えている。また、この携帯電話機１０は、重力方向に対する電話機本体１２の姿勢（＝液晶モニタ２８とＣＣＤ１３０の姿勢）を検出するための姿勢検出センサ１５２を備えている。
【００３２】
まず、電話に係わる機能について説明する。上記のように、電話部は、主としてＣＰＵ１１０、ＲＯＭ１１２、ＲＡＭ１１４、ＥＥＰＲＯＭ１１６、マイク１１８、Ａ／Ｄ変換器１２０、スピーカ１２２、Ｄ／Ａ変換器１２４、音声処理回路１２６、送受信回路１２８等で構成される。
【００３３】
ＣＰＵ１１０は、携帯電話機全体の動作を統括制御する制御部として機能し、ＲＡＭ１１４を作業領域としながら、所定の制御プログラムに従って携帯電話機内の各回路を制御する。ＲＯＭ１１２には、このＣＰＵ１１０が実行するプログラムや制御に必要な各種データなどが格納されており、ＥＥＰＲＯＭ１１６には、携帯電話機１０の電話番号やユーザ設定情報等のデータが記憶されている。
【００３４】
マイク１１８は、送話口４２の内側に配されており、このマイク１１８から入力されたアナログ音声信号が、Ａ／Ｄ変換器１２０でデジタル音声信号に変換されて、音声処理回路１２６に入力される。
【００３５】
音声処理回路１２６は、ＣＰＵ１１０の制御の下、Ａ／Ｄ変換器１２０から入力されたデジタル音声信号を処理して、所定形式の音声データに変換する。また、音声処理回路１２６は、所定の音声データを処理して、スピーカ１２２から出力するデジタル音声信号を生成する。
【００３６】
音声処理回路１２６で生成されたデジタル音声信号は、Ｄ／Ａ変換器１２４でアナログ音声信号に変換された後、受話口３０の内側に配されたスピーカ１２２に加えられ、スピーカ１２２から音声として出力される。
【００３７】
送受信回路１２８は、ＣＰＵ１１０の制御の下、アンテナ２２を介して送信するデータの符号化処理を行うとともに、アンテナ２２を介して受信されたデータの復号化処理を行う。
【００３８】
さて、以上の構成において、通信相手との接続が確立されると、マイク１１８から入力された音声信号が、Ａ／Ｄ変換器１２０を介して音声処理回路１２６に入力される。音声処理回路１２６に入力された音声信号は、音声処理回路１２６で所要の信号処理が施されたのち、送受信回路１２８を介してアンテナ２２から基地局に送信される。
【００３９】
また、基地局から発信された信号が、アンテナ２２で受信され、送受信回路１２８で復調されたのち、音声処理回路１２６に入力される。音声処理回路１２６に入力された音声データは、音声処理回路１２６で所要の信号処理が施されたのち、Ｄ／Ａ変換器１２４でアナログ音声信号に変換され、スピーカ１２２から出力される。
【００４０】
次に、カメラに係わる機能について説明する。上記のように、カメラ部は、主としてＣＣＤ１３０、タイミングジェネレータ（ＴＡ）１３２、アナログ処理回路１３４、Ａ／Ｄ変換器１３６、画像入力コントローラ１３８、画像処理回路１４０、圧縮／伸張回路１４２、表示回路１４４、メディアコントローラ１４６等で構成されている。
【００４１】
なお、全体の動作に関しては、電話部と同様にＣＰＵ１１０によって統括制御され、ＣＰＵ１１０は、ＲＡＭ１１４を作業領域としながら、ＲＯＭ１１２に格納された所定の制御プログラムに従って各回路を制御する。
【００４２】
ＣＣＤ１３０は、撮影レンズ２０の後方に配置されており、その受光面には多数のフォトセンサ（受光素子）が平面的に配列されている。撮影レンズ２０を通った光は、各フォトセンサによって入射光量に応じた量の信号電荷に変換される。
【００４３】
タイミングジェネレータ（ＴＧ）１３２は、ＣＰＵ１１０からの指令に従い、主としてＣＣＤ１３０を駆動するためのタイミング信号を生成する。ＣＣＤ１３０は、このタイミングジェネレータ１３２から加えられるタイミング信号に従って各フォトダイオードに蓄積された信号電荷を電圧信号（画像信号）として出力する。
【００４４】
アナログ処理回路１３４は、ＣＣＤ１３０から順次出力される画像信号を相関二重サンプリング処理するとともに増幅する。
【００４５】
Ａ／Ｄ変換器１３６は、アナログ処理回路１３４から出力されたＲ、Ｇ、Ｂのアナログの画像信号をそれぞれデジタルの画像信号に変換する。
【００４６】
画像入力コントローラ１３８は、ＣＰＵ１１０の制御の下、Ａ／Ｄ変換器１３６から出力された１画像分の画像信号を蓄積してＲＡＭ１１４に格納する。
【００４７】
画像処理回路１４０は、ＣＰＵ１１０の制御の下、入力されたデジタル画像信号に所要の信号処理を施して画像データを生成する。
【００４８】
圧縮／伸張回路１４２は、ＣＰＵ１１０の制御の下、入力された画像データに圧縮処理を施し、所定フォーマットの圧縮画像データを生成するとともに、入力された圧縮画像データに伸張処理を施し、非圧縮のデジタル画像データを生成する。
【００４９】
メディアコントローラ１４６は、ＣＰＵ１１０の制御の下、メディアスロット３６に装填されたメモリカード３８に対してデータの読み出し及び書き込みを制御する。
【００５０】
表示回路１４４は、ＣＰＵ１１０の制御の下、入力された画像データから、その画像データが示す画像を液晶モニタ２８に表示するための信号を生成する。
【００５１】
さて、以上の構成の下、携帯電話機１０は、撮影モードに設定することにより、画像の撮影が可能になる。
【００５２】
撮影はシャッターボタン３４の押下により行われ、シャッターボタン３４が押下されると、所定の絞り値、シャッター速度でＣＣＤ１３０が露光される。そして、ＣＣＤ１３０から出力された画像信号がアナログ処理回路１３４、Ａ／Ｄ変換器１３６を介して画像入力コントローラ１３８に取り込まれ、ＲＡＭ１１４に格納される。ＲＡＭ１１４に格納された画像信号は、画像処理回路１４０で画像データに変換されたのち、圧縮／伸張回路１４２に加えられ、所定の圧縮フォーマット（たとえばＪＰＥＧ）に従って圧縮される。そして、所定の記録フォーマットの画像ファイル（たとえば、Ｅｘｉｆ）として、メディアコントローラ１４６を介してメモリカード３８に記録される。
【００５３】
この際、画像ファイルには、姿勢検出センサ１５２で検出された電話機本体１２の撮影時の姿勢情報（＝ＣＣＤ１３０の姿勢情報＝画像の姿勢情報）が画像データとともに記録される（たとえば、画像ファイルのヘッダ部にタグ形式で記録される。）。
【００５４】
なお、撮影中、液晶モニタ２８にはＣＣＤ１３０で連続的に撮像された画像（スルー画像）が表示され、ユーザは、この液晶モニタ２８に表示されるスルー画像を見ながら画角等の調整を行う。
【００５５】
メモリカード３８に記録された画像ファイルは、ユーザのファイル選択操作に応じてメモリカード３８から読み出され、液晶モニタ２８に再生される。すなわち、ユーザが再生対象の画像ファイルを選択すると、その画像ファイルの圧縮画像データがデータがメモリカード３８から読み出され、圧縮／伸張回路１４２に加えられる。圧縮／伸張回路１４２は、入力された圧縮画像データに所要の伸張処理が施したのち、表示回路１４４に加える。表示回路１４４は、入力された画像データを表示用の信号形式に変換して液晶モニタ２８に出力する。これにより、選択された画像ファイルの画像が、液晶モニタ２８に再生表示される。
【００５６】
なお、液晶モニタ２８の表示は、携帯電話機１０の動作状態及び姿勢に応じて適宜回転して表示される。この液晶モニタ２８の表示態様については、のちに詳述する。
【００５７】
次に、プリンタに係わる機能について説明する。上記のように、プリンタ部は、主としてプリントデータ生成回路１４８とプリンタ制御回路１５０とで構成されている。
【００５８】
なお、全体の動作に関しては、電話部及びカメラ部と同様にＣＰＵ１１０によって統括制御され、ＣＰＵ１１０は、ＲＡＭ１１４を作業領域としながら、ＲＯＭ１１２に格納された所定の制御プログラムに従って各回路を制御する。
【００５９】
プリントデータ生成回路１４８は、ＣＰＵ１１０の制御の下、入力された画像データからプリンタカートリッジ５０でプリントするためのプリントデータを生成する。
【００６０】
プリンタ制御回路１５０は、ＣＰＵ１１０の制御の下、プリンタカートリッジ５０のヘッド５８及び記録シート搬送機構５６の駆動を制御して、記録シート６０に所定の画像を印画する。
【００６１】
プリント指示は、画像再生中にプリントボタン３５を押下することにより行われる。プリントボタン３５が押されると、再生中の画像データがプリントデータ生成回路１４８に加えられ、プリントデータが生成される。ＣＰＵ１１０は、生成されたプリントデータに基づきプリンタ制御回路１５０を介してプリンタカートリッジ５０を制御し、液晶モニタ２８に表示されている画像を記録シート６０にプリントさせる。
【００６２】
次に、電話機本体１２の姿勢を検出するための姿勢検出センサ１５２の構成について説明する。
【００６３】
姿勢検出センサ１５２は、図５に示すように、表示側筐体１４の内部に配設されており、一対の剛球１５４Ａ、１５４Ｂと一対のタッチセンサ１５６Ａ、１５６Ｂとで構成されている。
【００６４】
一対の剛球１５４Ａ、１５４Ｂは、それぞれ表示側筐体１４の内側に配設された筒１５８Ａ、１５８Ｂ内を転動自在に設けられており、各筒１５８Ａ、１５８Ｂは、互いに八の字を成すように４５度傾斜して配設されている。
【００６５】
一対のタッチセンサ１５６Ａ、１５６Ｂは、それぞれ筒１５８Ａ、１５８Ｂの底面に取り付けられており、剛球１５４Ａ、１５４Ｂが接触するとＯＮになる。ＣＰＵ１１０は、この一対のタッチセンサ１５６Ａ、１５６Ｂの出力に基づいて電話機本体１２の姿勢を判定する。
【００６６】
すなわち、たとえば、図６（ａ）に示すように、電話機本体１２の上下と重力方向の上下を一致させたとする（以下、この時の電話機本体１２の姿勢を基本姿勢とよぶ）。この場合、タッチセンサ１５６Ａ、１５６Ｂのセンサ出力は共にＯＮとなる。したがって、タッチセンサ１５６Ａ、１５６Ｂのセンサ出力が共にＯＮの場合は、電話機本体１２が基本姿勢にあると判定することができる。
【００６７】
一方、図６（ｂ）に示すように、基本姿勢から１８０度回転させ、電話機本体１２を重力方向に対して上下反転させたとする。この場合、タッチセンサ１５６Ａ、１５６Ｂのセンサ出力は共にＯＦＦとなる。したがって、タッチセンサ１５６Ａ、１５６Ｂのセンサ出力が共にＯＦＦの場合は、電話機本体１２が基本姿勢の状態から１８０度回転した状態、すなわち、重力方向に対して上下反転した状態にあると判定することができる。
【００６８】
また、図７（ａ）に示すように、電話機本体１２を基本姿勢の状態から時計回りに９０度回転させたとする。この場合、一方のタッチセンサ１５６Ａのセンサ出力はＯＦＦとなり、他方のタッチセンサ１５６Ｂのセンサ出力はＯＮとなる。したがって、タッチセンサ１５６Ａのセンサ出力がＯＦＦとなり、タッチセンサ１５６Ｂのセンサ出力がＯＮの場合は、電話機本体１２が基本姿勢の状態から時計回りに９０度回転した状態にあると判定することができる。
【００６９】
また、図７（ｂ）に示すように、電話機本体１２を基本姿勢の状態から反時計回りに９０度回転させたとする。この場合、一方のタッチセンサ１５６Ａのセンサ出力はＯＮとなり、他方のタッチセンサ１５６Ｂのセンサ出力はＯＦＦとなる。したがって、タッチセンサ１５６Ａのセンサ出力がＯＮとなり、タッチセンサ１５６Ｂのセンサ出力がＯＦＦの場合は、電話機本体１２が基本姿勢の状態から反時計回りに９０度回転した状態にあると判定することができる。
【００７０】
このように、ＣＰＵ１１０は、各タッチセンサ１５６Ａ、１５６Ｂの出力に基づいて電話機本体１２の重力方向に対する姿勢を判定する。そして、検出された姿勢情報に基づいて液晶モニタ２８の表示制御を行う。
【００７１】
なお、本実施の形態の携帯電話機１０では、画像を撮像するＣＣＤ１３０と画像を表示する液晶モニタ２８とが同じ電話機本体１２の表示側筐体１４に設けられているため、この電話機本体１２（表示側筐体１４）の姿勢を検出すれば、ＣＣＤ１３０と液晶モニタ２８の姿勢が検出されることとなる。この場合、ＣＣＤ１３０の姿勢を検出するセンサ（撮影姿勢検出センサ）と液晶モニタ２８の姿勢を検出するセンサ（表示姿勢検出センサ）は共用されることとなる。
【００７２】
以下、電話機本体１２の姿勢に応じた液晶モニタ２８の表示態様について説明する。
【００７３】
上記のようにメモリカード３８に記録された画像ファイルは、ユーザのファイル選択操作に応じてメモリカード３８から読み出され、液晶モニタ２８に再生される。
【００７４】
今、メモリカード３８に、図８（ａ）〜（ｄ）に示すように、電話機本体１２を基本姿勢の状態で撮影した画像（画像Ａ）と、基本姿勢の状態から反時計回りに９０度回転させた状態で撮影した画像（画像Ｂ）と、基本姿勢の状態から１８０度回転させた状態（上下反転させた状態）で撮影した画像（画像Ｃ）と、基本姿勢の状態から時計回りに９０度回転させた状態で撮影した画像（画像Ｄ）の４枚の画像の画像ファイルが記録されているとする。
【００７５】
通常、各画像ファイルを再生すると、撮影時に液晶モニタ２８に表示されていた時と同じ状態で液晶モニタ２８に再生表示される。したがって、電話機本体１２を基本姿勢の状態で各画像ファイルを再生すると、図９（ａ）〜（ｄ）に示すように、電話機本体１２を基本姿勢の状態で撮影したときの画像（画像Ａ）のみが、重力方向に対して上下が一致した状態で液晶モニタ２８に再生表示される。同様に電話機本体１２を基本姿勢の状態から時計回りに９０度回転させた状態で各画像ファイルを再生すると、電話機本体１２を基本姿勢の状態から時計回りに９０度回転させた状態で撮影したときの画像（画像Ｄ）のみが、重力方向に対して上下が一致した状態で液晶モニタ２８に再生表示される。
【００７６】
このような表示方法は、再生される画像の向きに合わせて電話機本体１２の向きや顔の向きを変えなければならず、使い勝手が悪いものとなる。
【００７７】
そこで、本実施の形態の携帯電話機１０では、画像データに付された画像の姿勢情報（＝撮影時の電話機本体１２の姿勢情報）と、現在の電話機本体１２の姿勢情報とに基づいて、液晶モニタ２８に表示される画像の上下が常に重力方向の上下と一致するように、液晶モニタ２８の表示が制御される。
【００７８】
すなわち、ＣＰＵ１１０は、各画像ファイルの再生時、各画像ファイルに記録されている画像の姿勢情報を読み出すとともに、現在の電話機本体１２の姿勢を姿勢検出センサ１５２からの出力から判定し、液晶モニタ２８に表示される画像の上下が、図１０に示すように、電話機本体１２の姿勢によらず常に重力方向の上下と一致するように表示回路１４４を制御する。
【００７９】
この結果、たとえば、電話機本体１２を基本姿勢の状態で各画像ファイルを再生すると、図１１（ａ）〜（ｄ）に示すように、全ての画像が重力方向に対して上下が一致した状態で液晶モニタ２８に再生表示される。
【００８０】
同様に電話機本体１２を基本姿勢の状態から反時計回りに９０度回転させた状態で各画像ファイルを再生した場合にも、図１２（ａ）〜（ｄ）に示すように、全ての画像が重力方向に対して上下が一致した状態で液晶モニタ２８に再生表示される。
【００８１】
このように、本実施の形態の携帯電話機１０では、液晶モニタ２８に表示される画像の上下が、常に重力方向の上下と一致した状態で再生画像が液晶モニタ２８に表示される。これにより、撮影時の画像の向きに応じて電話機本体１２の向きを変えることなく、同じ姿勢で画像を観賞することができる。
【００８２】
以上は画像再生時における液晶モニタ２８の表示態様であるが、画像プリント時には次のように液晶モニタ２８の表示が切り替えられる。すなわち、再生中の画像に対してプリント指示が出されると、液晶モニタ２８に表示される画像の上下が、プリント排出口２６から排出される記録シート上の画像の上下と一致するように表示が切り替えられる。
【００８３】
ここで、本実施の形態の携帯電話機１０において、記録シート６０に印画される画像は、図１３に示すように、撮影時に液晶モニタ２８に表示されていた時と同じ向きで記録シートに記録される。したがって、プリント指示が出された場合には、撮影時と同じ表示状態に切り替えられることとなる。
【００８４】
このため、たとえば、図１４（ａ）に示すように、基本姿勢の状態で撮影した画像を基本姿勢の状態で再生しているときにプリント指示を出力しても、図１４（ｂ）に示すように、液晶モニタ２８の表示は切り替わらないが、図１５（ａ）に示すように、基本姿勢で撮影した画像を基本姿勢から反時計回りに９０度回転させた状態で再生しているときにプリント指示を出力すると、図１５（ｂ）に示すように、液晶モニタ２８の表示が基本姿勢の時の表示状態に切り替えられる。
【００８５】
このように、プリント時には、液晶モニタ２８に表示される画像の上下が、プリント排出口２６から排出される記録シート上の画像の上下と一致するように、液晶モニタ２８の表示が切り替えられることにより、プリント中の画像の確認を素早く簡単に行うことができる。
【００８６】
なお、プリント終了後は、再度電話機本体１２の姿勢に応じて画像の上下が重力方向の上下と一致するように、液晶モニタ２８の表示が切り替えられる。
【００８７】
以上説明したように、本実施の形態の携帯電話機１０は、画像再生時には、液晶モニタ２８に表示される画像の上下が常に重力方向の上下と一致するように液晶モニタ２８の表示が制御され、プリント時には、液晶モニタ２８に表示される画像の向きが、プリント排出口２６から排出される記録シート上の画像の向きと一致するように、液晶モニタ２８の表示が制御される。これにより、再生画像の確認及びプリント画像の確認が容易になり、使い勝手のよい携帯電話機１０を提供することができる。
【００８８】
なお、本実施の形態では、本発明にかかるプリンタユニットをカメラ付きの携帯電話機１０に組み込んだ場合を例に説明したが、本発明の適用は、これに限定されるものではない。たとえば、モバイルプリンタとしてプリンタ単体でも構成してもよい。また、図１６に示すように、ビデオカメラに組み込むこともできるし、図１７に示すように、腕時計に組み込むこともできる。ビデオカメラに本発明を適用する場合、画像表示部であるモニタにプリンタでプリントする画像が表示されるように構成する。また、腕時計に本発明を適用する場合は、時計表示部であるモニタにプリンタでプリントする画像が表示されるように構成する。
【００８９】
また、本実施の形態では、プリント方式としてインクジェット方式を採用しているが、プリント方式は、特にこれに限定されるものではない。たとえば、インクジェット方式に代えてインクリボンを用いた昇華型熱転写方式を用いてもよいし、また、感熱紙を用いた感熱方式を用いてもよい。また、ドットインパクト方式を用いてもよいし、現像処理液を内蔵したインスタントフィルムを用いたプリント方式を用いてもよい。
【００９０】
なお、プリント方式を変えた場合であっても、画像が印画された記録シートは、その記録面が液晶モニタ２８の表示面と同じ向きに向けられて、液晶モニタ２８の表示面と平行に排出口から排出されるように構成する。
【００９１】
また、本実施の形態では、電話機本体１２の側面にプリント排出口２６を形成しているが、プリント排出口２６を設ける位置については、これに限定されるものではなく、電話機本体１２の上面部に設けるようにしてもよい。なお、この場合も記録シートの記録面が液晶モニタ２８の表示面と同じ向きに向けられて、液晶モニタ２８の表示面と平行に排出されるように構成する。
【００９２】
さらに、本実施の形態では、姿勢検出センサを一対の剛球と一対のタッチセンサとで構成しているが、姿勢検出センサの構成は、これに限定されるものではなく、他の構成のセンサを用いて電話機本体の姿勢を検出するようにしてもよい。
【００９３】
また、本実施の形態では、画像再生時に液晶モニタ２８に表示される画像の上下が常に重力方向の上下と一致するように液晶モニタ２８の表示を制御しているが、ユーザから表示切替の指示に応じて通常の表示状態（図９参照）に切り替えることができるようにしてもよい。
【００９４】
また、本実施の形態では、画像を撮像するＣＣＤ１３０と画像を表示する液晶モニタ２８とが同じ電話機本体１２の表示側筐体１４に設けられているため、ＣＣＤ１３０の姿勢を検出するセンサ（撮影姿勢検出センサ）と液晶モニタ２８の姿勢を検出するセンサ（表示姿勢検出センサ）とを共用しているが、たとえば、図１８に示すように、モニタが、撮影レンズ及びＣＣＤを備えた装置本体に対して水平、垂直軸回りに回転自在に設けられている場合には、モニタの姿勢を検出するセンサ（表示姿勢検出センサ）と、装置本体の姿勢（＝ＣＣＤの姿勢）を検出するセンサ（撮影姿勢検出センサ）とを、それぞれ個別に設ける必要がある。同様に撮影レンズ及びＣＣＤを備えた撮影ユニットが、モニタを備えた装置本体に対して水平、垂直軸回りに回転自在に設けられている場合には、撮影ユニットの姿勢を検出するセンサ（撮影姿勢検出センサ）と、装置本体の姿勢（＝モニタの姿勢）を検出するセンサ（表示姿勢検出センサ）とを、それぞれ個別に設ける必要がある。
【図面の簡単な説明】
【００９５】
【図１】本発明が適用された携帯電話機の正面図
【図２】本発明が適用された携帯電話機の背面図
【図３】図１の３−３断面図
【図４】携帯電話機の電気的構成を示すブロック図
【図５】姿勢検出センサの構成図
【図６】姿勢検出センサの動作状態を示す図
【図７】姿勢検出センサの動作状態を示す図
【図８】携帯電話機の撮影時の姿勢の説明図
【図９】通常の液晶モニタへの画像の表示状態を示す図
【図１０】画像再生時における液晶モニタの表示態様を示す図
【図１１】画像再生時における液晶モニタの表示態様を示す図
【図１２】画像再生時における液晶モニタの表示態様を示す図
【図１３】プリント時における液晶モニタの表示態様を示す図
【図１４】画像再生時とプリント時における液晶モニタの表示態様を示す図
【図１５】画像再生時とプリント時における液晶モニタの表示態様を示す図
【図１６】本発明が適用されたビデオカメラの斜視図
【図１７】本発明が適用された腕時計の斜視図
【図１８】本発明が適用されたプリンタ付きカメラの斜視図
【符号の説明】
【００９６】
１０…携帯電話機、１２…電話機本体、１４…表示側筐体、１６…操作側筐体、１８…ヒンジ、２０…撮影レンズ、２２…アンテナ、２４…プリント部カバー、２６…プリント排出口、２８…液晶モニタ、３０…受話口、３２…バッテリパック、３４…シャッターボタン、３５…プリントボタン、３６…メディアスロット、３８…メモリカード、４０…操作部、４２…送話口、５０…プリンタカートリッジ、５２…装着部、５４…記録シートトレイ、５６…記録シート搬送機構、５８…ヘッド、６０…記録シート、１１０…中央処理装置（ＣＰＵ）、１１２…ＲＯＭ、１１４…ＲＡＭ、１１６…ＥＥＰＲＯＭ、１１８…マイク、１２０…Ａ／Ｄ変換器、１２２…スピーカ、１２４…Ｄ／Ａ変換器、１２６…音声処理回路、１２８…送受信回路、１３０…ＣＣＤ、１３２…タイミングジェネレータ（ＴＡ）、１３４…アナログ処理回路、１３６…Ａ／Ｄ変換器、１３８…画像入力コントローラ、１４０…画像処理回路、１４２…圧縮／伸張回路、１４４…表示回路、１４６…メディアコントローラ、１４８…プリントデータ生成回路、１５０…プリンタ制御回路、１５２…姿勢検出センサ、１５４Ａ、１５４Ｂ…剛球、１５６Ａ、１５６Ｂ…タッチセンサ、１５８Ａ、１５８Ｂ…筒
【図１】
2006027017.tif 000003
【図２】
2006027017.tif 000004
【図３】
2006027017.tif 000005
【図４】
2006027017.tif 000006
【図５】
2006027017.tif 000007
【図６】
2006027017.tif 000008
【図７】
2006027017.tif 000009
【図８】
2006027017.tif 000010
【図９】
2006027017.tif 000011
【図１０】
2006027017.tif 000012
【図１１】
2006027017.tif 000013
【図１２】
2006027017.tif 000014
【図１３】
2006027017.tif 000015
【図１４】
2006027017.tif 000016
【図１５】
2006027017.tif 000017
【図１６】
2006027017.tif 000018
【図１７】
2006027017.tif 000019
【図１８】
2006027017.tif 000020